(57)【要約】【課題】衝撃を緩和するゴム材が脱落しにくい尻栓を有する釣竿を提供することである。【解決手段】釣竿Ａは、元竿５に尻栓６が取り付けられ、尻栓６は、キャップ状の尻栓本体６ａとこの尻栓本体６ａの底面部６ｂに取り付けられたゴム部材７を有している。尻栓本体６ａの底面部６ｂは貫通孔６ｄを有し、ゴム部材７の嵌合突部が７ａが充填されて嵌合している。貫通孔６ｄは底面部６ｂの内側に向けて広がる拡開部（抜け止め部）６ｅが形成され、拡開部６ｅに嵌合突部が７ａが係合しゴム部材７が抜け止めされて保持される。【選択図】    図２
2011130723.tif 000002
【特許請求の範囲】
【請求項１】
元竿の基端部に尻栓を備えた釣竿において、尻栓本体の底面部に貫通孔を穿設し、前記貫通孔は前記底面部の内側で広がった拡開部を有し、前記貫通孔に充填されると共に前記尻栓の底面部の外側を覆うゴム部材を取り付けたことを特徴とする釣竿。
【請求項２】
尻栓本体の底面部の内側に保護シートを敷設したことを特徴とする請求項１に記載の釣竿。
【請求項３】
尻栓本体の底面部の貫通孔に充填されたゴム部材は、前記底面部の内側に面一に露出することを特徴とする請求項１または２に記載の釣竿。
【請求項４】
尻栓本体の底面部の貫通孔に充填されたゴム部材は、前記底面部の内側に突出していることを特徴とする請求項１または２に記載の釣竿。
【請求項５】
尻栓本体の底面部の内側に保護シートを敷設し、前記保護シートは、前記尻栓本体の底面部の内側に突出するゴム部材に前記尻栓の底面部の内側との間に間隙を有するように支持されていることを特徴とする請求項４に記載の釣竿。
【発明の詳細な説明】
【技術分野】
【０００１】
本発明は、釣竿に関し、詳細には尻栓を取り付けた釣竿に関する。
【背景技術】
【０００２】
従来から釣竿は筒状に形成された釣竿素材を繋いで形成されたものが多く、これらの釣竿の端部の孔を閉塞するために尻栓が取り付けられている。
釣竿の尻栓は、振り出し竿など釣竿内に収納した竿杆の抜け落ちを防止し竿杆を保護すると共に釣竿を立て掛けたり釣竿底部側を地面についてしまうことがあるため釣竿自体の破損を防止している。
したがって、これら釣竿の尻栓にはゴム等の弾性部材が取り付けられ、ぶつけたときなどに尻栓や釣竿に掛かる衝撃を緩和するようになっているが、釣竿や尻栓の軽量化のため弾性部材は尻栓本体に簡単に嵌合するだけで取り付けられており脱落する虞があった。
【特許文献１】特開２００２−１５９２４８
【発明の概要】
【発明が解決しようとする課題】
【０００３】
解決しようとする問題点は、釣竿の尻栓に取り付けられたゴム等の弾性部材が尻栓本体に簡単に嵌合するだけで取り付けられており脱落する虞があることである。
【０００４】
本発明の目的は前記欠点に鑑み、尻栓に設けた衝撃を緩和するゴム材等の弾性部材が脱落しにくい尻栓を有する釣竿を提供することである。
【課題を解決するための手段】
【０００５】
本発明の請求項１は、元竿の基端部に尻栓を備えた釣竿において、尻栓本体の底面部に貫通孔を穿設し、前記貫通孔は前記底面部の内側で広がった拡開部を有し、前記貫通孔に充填されると共に前記尻栓の底面部の外側を覆うゴム部材を取り付けたことを要旨とするものである。
本発明の請求項２は、尻栓本体の底面部の内側に保護シートを敷設したことを要旨とするものである。
本発明の請求項３は、尻栓本体の底面部の貫通孔に充填されたゴム部材は、前記底面部の内側に面一に露出することを要旨とするものである。
本発明の請求項４は、尻栓本体の底面部の貫通孔に充填されたゴム部材は、前記底面部の内側に突出していることを要旨とするものである。
本発明の請求項５は、尻栓本体の底面部の内側に保護シートを敷設し、前記保護シートは、前記尻栓本体の底面部の内側に突出するゴム部材に前記尻栓の底面部の内側との間に間隙を有するように支持されていることを要旨とするものである。
【発明の効果】
【０００６】
本発明の釣竿は、尻栓の底面部に設けたゴム部材が尻栓本体の底面部の内側側で広がる貫通孔に充填されて取り付けられて脱落が防止される。
【産業上の利用可能性】
【０００７】
本発明は、尻栓を有する釣竿に利用できる。
【図面の簡単な説明】
【０００８】
【図１】図１は、本願の釣竿の全体図である。
【図２】図２は、第１実施例で尻栓部分の縦方向拡大断面図である。
【図３】図３は、同尻栓部分の横方向拡大断面図である。
【図４】図４は、第２実施例で尻栓部分の縦方向拡大断面図である。
【発明を実施するための最良の形態】
【０００９】
本願発明を図示の実施例によって説明すると、図１から図３は本願の第１実施例で、図１は釣竿の全体図、図２は尻栓部分の縦方向拡大断面図、図３は尻栓部分の横方向拡大断面図である。
【００１０】
図１のように、釣竿Ａは、振り出し式釣竿で複数の筒状の竿杆１、２、３、４、５を有し、仕舞い時にはこれら竿杆のうち元竿５内に中間竿２、３、４と穂先竿１が順次収納され、釣りをするときはこれら竿杆１から４が順番に引き出されて元竿５から穂先竿１に向かってテーパーを有する釣竿Ａを形成するようになっている。
【００１１】
釣竿Ａを形成する竿杆は、繊維強化樹脂等の合成樹脂で形成され、元竿５の後端部には管状の元竿５の後端部の孔５ａを閉塞する尻栓６が取り付けられている。
尻栓６は、尻栓本体６ａの周壁の筒状部６ｃの外面に形成された螺子部６ｎが元竿５の孔５ａ内に形成された螺子部５ｎに着脱可能に螺合されて元竿５に取り付けられるようになっている。
【００１２】
尻栓６は、アルミニウムやステンレス等の金属やナイロン等の合成樹脂で形成されたキャップ状の尻栓本体６ａとこの尻栓本体６ａの底面部６ｂの外面側（接地面側）に取り付けられたゴム部材７を有している。
ゴム部材７は、柔軟性を有するゴムや合成樹脂（合成ゴム）材料で形成され、尻栓本体６ａに比べ大きな可撓性を有し尻栓６に掛かる衝撃を緩和し、また、石突きとしても使用でき平面状の他下方に凸状に形成することもできる。
【００１３】
尻栓本体６ａの底面部６ｂにはその外面（底面部６ｂ）側から内面６ｆ側に通じる貫通孔６ｄを有し、底面部６ｂに取り付けられたゴム部材７の嵌合突部７ａが貫通孔６ｄ内に充填されて嵌合している。
さらに、尻栓本体６ａの底面部６ｂに設けた貫通孔６ｄは底面部６ｂの内側（内面６ｆ側）で広がる拡開部（抜け止め部）６ｅが形成され、嵌合突部７ａはこの拡開部６ｅを満たしてこれに合致する形状に形成された係合部７ｂを有し、拡開部６ｅに係合部７ｂが係合してゴム部材７は尻栓本体６ａの底面部６ｂに設けた貫通孔６ｄに対し抜け止めされて保持される。
なお、貫通孔６ｄは底面部６ｂの内側で広がっていればよいが、この実施例では底面部６ｂの内面側に向けて傾斜面を有し徐々に広がる拡開部（抜け止め部）６ｅが形成されている。
【００１４】
しかも、尻栓本体６ａの底面部６ｂに設けた貫通孔６ｄに充填されたゴム部材７の嵌合突部７ａは尻栓本体６ａの底面部６ｂの内面に面一に形成されて露出している。
なお、尻栓本体６ａの底面部６ｂの貫通孔６ｄ及びゴム部材７の嵌合突部７ａはそれぞれ複数形成されて互いに嵌合しており、尻栓本体６ａに対しゴム部材７が回動しないようになっている。
図３の保護カバー９を除いた状態の尻栓本体６ａの底面部６ｂの貫通孔６ｄは釣竿の軸線Ｃに一致する位置及び軸線Ｃを囲むように複数（本実施例では４個）設けられている。
【００１５】
尻栓本体６ａの筒状部６ｃに囲まれた底面部６ｂの内面（尻栓本体６ａの内側）には保護シート９が敷設されている。
この保護シート９は、柔軟性を有するゴムや合成樹脂（合成ゴム）材料で形成されたゴム材からなるシート材で、ゴム部材７と同じかこれよりも軟らかい材料で形成される。
また、保護シート９はゴム部材７よりも薄く形成されて軽量化が図られている。
なお、保護シート９は空気抜き孔を形成したり、多孔性材で形成しても良い。
【００１６】
保護シート９は、尻栓本体６ａの筒状部６ｃに囲まれた底面部６ｂの内面に現れたゴム部材７の嵌合突部７ａと接しており、筒状部６ｃ内での回動などの移動が規制されている。
【００１７】
釣竿Ａの元竿５に収納された竿杆１、２、３、４はその底部が保護シート９に当接して衝撃が緩和されるようになっている。
【００１８】
このように形成した釣竿Ａの元竿５に取り付けた尻栓６は、その筒状部６ｃを取り巻いて設けたパッキンとしてのゴム等のＯリング８が元竿５と尻栓６の境界に配され互いの隙間を埋めてゴミや水の侵入を防止している。
【００１９】
このように形成された釣竿Ａは、尻栓６に取り付けたゴム部材７が貫通孔６ｄを介して、拡開部６ｅに係合部７ｂが係合して抜け止めされて取り付けられるため、元竿５に他の竿杆１、２、３、４を落とし込むように収納したり、釣りをしている最中に尻栓６を地面についてもゴム部材７が脱落しないようになっている。
【００２０】
図４は、第２実施例で尻栓部分の縦方向拡大断面図である。
【００２１】
第２実施例では、尻栓本体６ａの底面部６ｂに設けた貫通孔６ｄに充填されたゴム部材７の嵌合突部７ａは尻栓本体６ａの底面部６ｂの内面側（尻栓本体６ａの内側）に突出して形成されている。
底面部６ｂの内面側に突出した嵌合突部７ａは係合部７ｂに加えて貫通孔６ｄの周縁に張り出した鍔を有する貫通孔６ｄの拡開部（抜け止め部）６ｅよりも更に大径のヘッド部７ｃを有し、このヘッド部７ｃが底面部６ｂの内面に係合し嵌合突部７ａは更に抜け止めが図られている。
【００２２】
このヘッド部７ｃはそれぞれの貫通孔６ｄごとに形成され、底面部６ｂの内面側に凸状に盛り上がって形成されている。
ヘッド部７ｃが形成された部位が上方への凸状に形成されるとヘッド部７ｃが形成されていない部位との間に高低差ができるため、尻栓本体６ａの筒状部６ｃに囲まれた底面部６ｂの内面に保護シート９が敷設されると保護シート９は複数の凸状のヘッド部７ｃで支持され、ヘッド部７ｃで支持されない部分は底面部６ｂの内面との間に間隙Ｋが形成される。
【００２３】
このようにヘッド部７ｃと底面部６ｂの内面との間に間隙Ｋが形成されると尻栓６を地面に突いたときや元竿５に竿杆１、２、３、４を収納するときに、より衝撃が緩和され、元竿５に収納した竿杆１、２、３、４が保護される。
【００２４】
このように、第２実施例においても第１実施例と同様の作用効果が得られることとなる。
なお、その他の構成は第１実施例と同じである。
【符号の説明】
【００２５】
Ａ    釣竿
５    元竿
６    尻栓
７    ゴム部材
９    保護シート
【図１】
2011130723.tif 000003
【図２】
2011130723.tif 000004
【図３】
2011130723.tif 000005
【図４】
2011130723.tif 000006